(57)【要約】    【課題】ワンセグ放送を携帯機器で視聴していたユーザが、自宅の端末機器を用いて関連コンテンツを簡単に視聴すること。    【手段】送信指示受付手段１０３はコンテンツＩＤおよび視聴経過時間の送信指示を受け付け、視聴情報送信手段１０５はコンテンツＩＤを送信する。認証コード取得手段１０７はＰＣｃの二次元コードから認証コードを取得し、認証コード送信手段１０９は認証コードを送信する。コンテンツサーバｂの視聴情報受信手段１２１はコンテンツＩＤを受信して記録する。認証コード送信手段１２５は認証コードを送信する。認証コード受信手段１２７は認証コードを受信する。ユーザ端末認証手段１２９は認証コードが合致する場合にはＰＣｃが正当であると認証する。コンテンツ特定手段１３１はコンテンツを特定してコンテンツ送信手段１３３はストリーミング送信する。【選択図】  図１
2008271357.tif 000002
【特許請求の範囲】
【請求項１】
(a)ワンセグ放送によって送信されたコンテンツを受信する第１のユーザ端末と、
(b)前記コンテンツを管理するコンテンツサーバと、
(c)前記コンテンツサーバからコンテンツを受信する第２のユーザ端末と、
を備えたコンテンツ視聴システムであって、
(a)第１のユーザ端末は、
(a1)ワンセグ放送から受信したコンテンツをユーザに視聴させるコンテンツ視聴手段と、
(a2)ユーザから視聴情報の送信指示を受け付ける送信指示受付手段と、
(a3)識別ＩＤを伴う視聴情報をコンテンツサーバに送信する視聴情報送信手段と、
(a4)第２のユーザ端末から認証コードを取得する認証コード取得手段と、
(a5)第２のユーザ端末から取得した認証コードを前記識別ＩＤとともに前記コンテンツサーバに送信する認証コード送信手段とを備え、
(b)コンテンツサーバは、
(b1)第１のユーザ端末から識別ＩＤを伴う視聴情報を受信して記録部に記録する視聴情報受信手段と、
(b2)第２のユーザ端末からアクセスを受けると、所定の認証コードを送信する認証コード送信手段と、
(b3)第１のユーザ端末から識別ＩＤを伴う認証コードを受信する認証コード受信手段と、
(b4)前記第１のユーザ端末から受信した認証コードが、前記第２のユーザ端末に送信した所定の認証コードと合致する場合に、前記第２のユーザ端末が正当であると認証するユーザ端末認証手段と、
(b5)前記第２のユーザ端末が正当であると認証した場合に、前記認証コードを送信した第１のユーザ端末の識別ＩＤに基づく視聴情報から前記第２のユーザ端末に送信すべきコンテンツを特定するコンテンツ特定手段と、
(b6)特定した前記コンテンツを前記第２のユーザ端末に送信するコンテンツ送信手段とを備え、
(c)第２のユーザ端末は、
(c1)コンテンツサーバにアクセスするアクセス手段と、
(c2)前記コンテンツサーバから認証コードを受信する認証コード受信手段と、
(c3)前記コンテンツサーバから受信した認証コードを第１のユーザ端末に引き渡す認証コード引渡手段と、
(c4)前記コンテンツサーバからコンテンツを受信するコンテンツ受信手段と、
(c5)前記コンテンツサーバから受信した前記コンテンツをユーザに視聴させるコンテンツ視聴手段とを備えたこと、
を特徴とするコンテンツ視聴システム。
【請求項２】
請求項１のコンテンツ視聴システムにおいて、
前記第１のユーザ端末がコンテンツサーバに送信する視聴情報は、コンテンツＩＤを含むものであり、
前記コンテンツサーバの視聴情報受信手段は、第１のユーザ端末から受信した視聴情報に含まれるコンテンツＩＤに基づいてコンテンツの視聴経過時間を算出し、前記コンテンツＩＤに対応付けて視聴経過時間を記録部に記録すること、
を特徴とするコンテンツ視聴システム。
【請求項３】
請求項１のコンテンツ視聴システムにおいて、
前記第１のユーザ端末がコンテンツサーバに送信する視聴情報は、コンテンツＩＤおよびコンテンツの視聴経過時間を含むものであり、
前記コンテンツサーバの視聴情報受信手段は、第１のユーザ端末から受信した視聴情報に含まれるコンテンツＩＤおよびコンテンツの視聴経過時間を記録部に記録すること、
を特徴とするコンテンツ視聴システム。
【請求項４】
請求項１〜３のいずれかのコンテンツ視聴システムにおいて、
前記第２のユーザ端末の認証コード引渡手段は、前記認証コードを画像化情報として提示することによって引き渡すものであり、
前記第１のユーザ端末の認証コード取得手段は、前記画像化情報を取り込むことによって認証コードを取得するものであること、
を特徴とするコンテンツ視聴システム。
【請求項５】
請求項１〜３のいずれかのコンテンツ視聴システムにおいて、
前記第２のユーザ端末の認証コード引渡手段は、前記認証コードをデータ転送によって引き渡すものであり、
前記第１のユーザ端末の認証コード取得手段は、前記認証コードをデータ転送によって取得するものであること、
を特徴とするコンテンツ視聴システム。
【請求項６】
請求項４または５のコンテンツ視聴システムにおいて、
前記第２のユーザ端末の認証コード引渡手段は、認証コードに加えて、コンテンツサーバにアクセスするためのＵＲＬを引き渡すものであり、
前記第１のユーザ端末の認証コード送信手段は、前記認証コード取得手段において取得した前記ＵＲＬに基づいて、認証コードをコンテンツサーバに送信すること、
を特徴とするコンテンツ視聴システム。
【請求項７】
請求項１〜６のいずれかのコンテンツ視聴システムにおいて、
前記第２のユーザ端末のアクセス手段は、第１のユーザ端末にかかる識別ＩＤをともなってコンテンツサーバにアクセスするものであり、
前記コンテンツサーバの認証コード送信手段は、前記識別ＩＤに対応する認証コードを第２のユーザ端末に送信すること、
を特徴とするコンテンツ視聴システム。
【請求項８】
(a)ワンセグ放送によって送信されたコンテンツを受信する第１のユーザ端末と、(c)コンテンツを受信する第２のユーザ端末とともにコンテンツ視聴システムを構成するための(b)コンテンツサーバであって、
(b1)第１のユーザ端末から識別ＩＤを伴う視聴情報を受信して記録部に記録する視聴情報受信手段と、
(b2)第２のユーザ端末からアクセスを受けると、所定の認証コードを送信する認証コード送信手段と、
(b3)第１のユーザ端末から識別ＩＤを伴う認証コードを受信する認証コード受信手段と、
(b4)前記第１のユーザ端末から受信した認証コードが、前記第２のユーザ端末に送信した所定の認証コードと合致する場合に、前記第２のユーザ端末が正当であると認証するユーザ端末認証手段と、
(b5)前記第２のユーザ端末が正当であると認証した場合に、前記認証コードを送信した第１のユーザ端末の識別ＩＤに基づく視聴情報から前記第２のユーザ端末に送信すべきコンテンツを特定するコンテンツ特定手段と、
(b6)特定した前記コンテンツを前記第２のユーザ端末に送信するコンテンツ送信手段とを備えたこと、
を特徴とするコンテンツサーバ。
【請求項９】
請求項８のコンテンツサーバにおいて、
前記第１のユーザ端末がコンテンツサーバに送信する視聴情報は、コンテンツＩＤを含むものであり、
前記コンテンツサーバの視聴情報受信手段は、第１のユーザ端末から受信した視聴情報に含まれるコンテンツＩＤに基づいてコンテンツの視聴経過時間を算出し、前記コンテンツＩＤに対応付けて視聴経過時間を記録部に記録すること、
を特徴とするコンテンツサーバ。
【請求項１０】
請求項８のコンテンツサーバにおいて、
前記第１のユーザ端末がコンテンツサーバに送信する視聴情報は、コンテンツＩＤおよびコンテンツの視聴経過時間を含むものであり、
前記コンテンツサーバの視聴情報受信手段は、第１のユーザ端末から受信した視聴情報に含まれるコンテンツＩＤおよびコンテンツの視聴経過時間を記録部に記録すること、
を特徴とするコンテンツサーバ。
【請求項１１】
(a)ワンセグ放送によって送信されたコンテンツを受信する第１のユーザ端末と、(c)コンテンツを受信する第２のユーザ端末とともにコンテンツ視聴システムを構成するための(b)コンテンツサーバをコンピュータを用いて実現するためのプログラムであって、前記コンピュータに以下の手段を構成させることを特徴とするプログラム：
(b1)第１のユーザ端末から識別ＩＤを伴う視聴情報を受信して記録部に記録する視聴情報受信手段、
(b2)第２のユーザ端末からアクセスを受けると、所定の認証コードを送信する認証コード送信手段、
(b3)第１のユーザ端末から識別ＩＤを伴う認証コードを受信する認証コード受信手段、
(b4)前記第１のユーザ端末から受信した認証コードが、前記第２のユーザ端末に送信した所定の認証コードと合致する場合に、前記第２のユーザ端末が正当であると認証するユーザ端末認証手段、
(b5)前記第２のユーザ端末が正当であると認証した場合に、前記認証コードを送信した第１のユーザ端末の識別ＩＤに基づく視聴情報から前記第２のユーザ端末に送信すべきコンテンツを特定するコンテンツ特定手段および、
(b6)特定した前記コンテンツを前記第２のユーザ端末に送信するコンテンツ送信手段。
【請求項１２】
(a)ワンセグ放送によって送信されたコンテンツを受信する第１のユーザ端末と、
(b)前記コンテンツを管理するコンテンツサーバと、
(c)前記コンテンツサーバからコンテンツを受信する第２のユーザ端末と、
を備えたコンテンツ視聴システムであって、
(a)第１のユーザ端末は、
(a3)ワンセグ放送から受信したコンテンツの表示中においてユーザから視聴情報の送信指示を受けると、識別ＩＤを伴う視聴情報をコンテンツサーバに送信する視聴情報送信手段と、
(a5)所定の認証コードを前記識別ＩＤとともに前記コンテンツサーバに送信する認証コード送信手段とを備え、
(b)コンテンツサーバは、
(b1)第１のユーザ端末から識別ＩＤを伴う視聴情報を受信して記録部に記録する視聴情報受信手段と、
(b3)第１のユーザ端末から識別ＩＤを伴う認証コードを受信すると、当該認証コードが、所定の認証コードと合致するか否かを判断し、合致する場合には、前記第１のユーザ端末の識別ＩＤに基づく視聴情報からコンテンツを特定し、当該コンテンツを前記第２のユーザ端末に送信するコンテンツ送信手段とを備え、
(c)第２のユーザ端末は、
(c1)コンテンツサーバにアクセスするアクセス手段と、
(c5)前記コンテンツサーバから受信した前記コンテンツをユーザに視聴させるコンテンツ視聴手段とを備えたこと、
を特徴とするコンテンツ視聴システム。
【請求項１３】
第１のユーザ端末、第２のユーザ端末および認証サーバを備えた端末認証システムであって、
第１のユーザ端末は、
識別ＩＤを認証サーバに送信する識別ＩＤ送信手段と、
第２のユーザ端末から取得した認証コードを前記管理サーバに送信する認証コード送信手段とを備え、
管理サーバは、
第１のユーザ端末から識別ＩＤを受信して記録部に記録する識別ＩＤ受信手段と、
第２のユーザ端末からアクセスを受けると、所定の認証コードを送信する認証コード送信手段と、
第１のユーザ端末から識別ＩＤを受信すると、当該認証コードが、前記第２のユーザ端末に送信した所定の認証コードと合致するか否かを判断し、合致する場合には、前記第２のユーザ端末の正当性を認証するユーザ端末認証手段とを備え、
第２のユーザ端末は、
前記認証サーバから受信した認証コードを第１のユーザ端末に引き渡す認証コード引渡手段を備えたこと、
を特徴とする端末認証システム。
【請求項１４】
(a)ワンセグ放送によって送信されたコンテンツを受信する第１のユーザ端末と、
(b)前記コンテンツを管理するコンテンツサーバと、
(c)前記コンテンツサーバからコンテンツを受信する第２のユーザ端末と、
を用いたコンテンツ視聴方法であって、
(a)第１のユーザ端末は、
(a1)ワンセグ放送から受信したコンテンツをユーザに視聴させるコンテンツ視聴手段と、
(a2)ユーザから視聴情報の送信指示を受け付ける送信指示受付手段と、
(a3)識別ＩＤを伴う視聴情報をコンテンツサーバに送信する視聴情報送信手段と、
(a4)第２のユーザ端末から認証コードを取得する認証コード取得手段と、
(a5)第２のユーザ端末から取得した認証コードを前記識別ＩＤとともに前記コンテンツサーバに送信する認証コード送信手段とを実行し、
(b)コンテンツサーバは、
(b1)第１のユーザ端末から識別ＩＤを伴う視聴情報を受信して記録部に記録する視聴情報受信手段と、
(b2)第２のユーザ端末からアクセスを受けると、所定の認証コードを送信する認証コード送信手段と、
(b3)第１のユーザ端末から識別ＩＤを伴う認証コードを受信する認証コード受信手段と、
(b4)前記第１のユーザ端末から受信した認証コードが、前記第２のユーザ端末に送信した所定の認証コードと合致する場合に、前記第２のユーザ端末が正当であると認証するユーザ端末認証手段と、
(b5)前記第２のユーザ端末が正当であると認証した場合に、前記認証コードを送信した第１のユーザ端末の識別ＩＤに基づく視聴情報から前記第２のユーザ端末に送信すべきコンテンツを特定するコンテンツ特定手段と、
(b6)特定した前記コンテンツを前記第２のユーザ端末に送信するコンテンツ送信手段とを実行し、
(c)第２のユーザ端末は、
(c1)コンテンツサーバにアクセスするアクセス手段と、
(c2)前記コンテンツサーバから認証コードを受信する認証コード受信手段と、
(c3)前記コンテンツサーバから受信した認証コードを第１のユーザ端末に引き渡す認証コード引渡手段と、
(c4)前記コンテンツサーバからコンテンツを受信するコンテンツ受信手段と、
(c5)前記コンテンツサーバから受信した前記コンテンツをユーザに視聴させるコンテンツ視聴手段とを実行すること、
を特徴とするコンテンツ視聴方法。
【請求項１５】
(a)ワンセグ放送によって送信されたコンテンツを受信する第１のユーザ端末と、
(b)前記コンテンツを管理するコンテンツサーバと、
(c)前記コンテンツサーバからコンテンツを受信する第２のユーザ端末と、
を用いたコンテンツ視聴方法であって、
(a)第１のユーザ端末は、
(a3)ワンセグ放送から受信したコンテンツの表示中においてユーザから視聴情報の送信指示を受けると、識別ＩＤを伴う視聴情報をコンテンツサーバに送信する視聴情報送信手段と、
(a5)所定の認証コードを前記識別ＩＤとともに前記コンテンツサーバに送信する認証コード送信手段とを実行し、
(b)コンテンツサーバは、
(b1)第１のユーザ端末から識別ＩＤを伴う視聴情報を受信して記録部に記録する視聴情報受信手段と、
(b3)第１のユーザ端末から識別ＩＤを伴う認証コードを受信すると、当該認証コードが、所定の認証コードと合致するか否かを判断し、合致する場合には、前記第１のユーザ端末の識別ＩＤに基づく視聴情報からコンテンツを特定し、当該コンテンツを前記第２のユーザ端末に送信するコンテンツ送信手段とを実行し、
(c)第２のユーザ端末は、
(c1)コンテンツサーバにアクセスするアクセス手段と、
(c5)前記コンテンツサーバから受信した前記コンテンツをユーザに視聴させるコンテンツ視聴手段とを実行すること、
を特徴とするコンテンツ視聴方法。
【請求項１６】
第１のユーザ端末、第２のユーザ端末および認証サーバを用いた端末認証方法であって、
第１のユーザ端末は、
識別ＩＤを認証サーバに送信する識別ＩＤ送信手段と、
第２のユーザ端末から取得した認証コードを前記管理サーバに送信する認証コード送信手段とを実行し、
管理サーバは、
第１のユーザ端末から識別ＩＤを受信して記録部に記録する識別ＩＤ受信手段と、
第２のユーザ端末からアクセスを受けると、所定の認証コードを送信する認証コード送信手段と、
第１のユーザ端末から識別ＩＤを受信すると、当該認証コードが、前記第２のユーザ端末に送信した所定の認証コードと合致するか否かを判断し、合致する場合には、前記第２のユーザ端末の正当性を認証するユーザ端末認証手段とを実行し、
第２のユーザ端末は、
前記認証サーバから受信した認証コードを第１のユーザ端末に引き渡す認証コード引渡手段を実行すること、
を特徴とする端末認証方法。
【発明の詳細な説明】
【技術分野】
【０００１】
この発明は、ユーザ端末においてユーザにコンテンツを視聴させるシステムに関する。
【背景技術】
【０００２】
携帯機器向けの地上波デジタル放送としてワンセグ放送（ワンセグメント放送）が行われている。ワンセグ放送を受信する携帯機器は、基本的に移動可能であるため、その移動によって放送電波の受信状態が変化する。このため、移動場所によっては、ワンセグ放送を継続して快適に受信できない場合があり得る。
【０００３】
このような問題を解決するため、ワンセグ放送を受信中の携帯電話において、電波の受信状態が悪化すると携帯電話基地局との通信により放送データを受信するようモードを切り替え、ワンセグ放送を継続的に受信するものが知られている（例えば、特許文献１参照。）。
【０００４】
【特許文献１】特開２００５−２６９１４号
【発明の開示】
【発明が解決しようとする課題】
【０００５】
しかしながら、ワンセグ放送が受信することができなくなった場合に、携帯機器を所持するユーザが、必ずしもその場で継続してワンセグ放送を視聴したいと思うわけではない。
【０００６】
例えば、ワンセグ放送には、放送免許が無い事業者であっても店舗等においてスポット的にコンテンツ配信を行うことができるように、微弱電波を利用するタイプのものがある。このようなワンセグ放送を視聴しているユーザにおいては、店舗を離れればワンセグ放送が受信できなくなる。
【０００７】
この場合、店舗を離れたユーザが、携帯機器で視聴していたワンセグ放送の続きを、ユーザの自宅でゆっくり見たいと思う場合もある。また、店舗側においては、広告やサービスとして、来店したユーザに対してのみ所定のコンテンツを配信したいという要望もある。
【０００８】
この発明は、上記のような点を実現するためになされたものであって、所定のワンセグ放送を携帯機器で視聴していたユーザが、自宅の端末機器を用いて、当該ワンセグ放送に関連するコンテンツを簡単に視聴することのできるコンテンツ視聴システムの提供を目的とする。また、携帯機器のユーザが、自宅の端末機器のユーザと一致するか否かを認証する端末認証システムの提供を目的とする。
【課題を解決するための手段】
【０００９】
(1)(8)(11)(12)(14)(15)この発明に係るコンテンツ視聴システムは、
(a)ワンセグ放送によって送信されたコンテンツを受信する第１のユーザ端末と、
(b)前記コンテンツを管理するコンテンツサーバと、
(c)前記コンテンツサーバからコンテンツを受信する第２のユーザ端末と、
を備えたコンテンツ視聴システムであって、
(a)第１のユーザ端末は、
(a1)ワンセグ放送から受信したコンテンツをユーザに視聴させるコンテンツ視聴手段と、
(a2)ユーザから視聴情報の送信指示を受け付ける送信指示受付手段と、
(a3)識別ＩＤを伴う視聴情報をコンテンツサーバに送信する視聴情報送信手段と、
(a4)第２のユーザ端末から認証コードを取得する認証コード取得手段と、
(a5)第２のユーザ端末から取得した認証コードを前記識別ＩＤとともに前記コンテンツサーバに送信する認証コード送信手段とを備え、
(b)コンテンツサーバは、
(b1)第１のユーザ端末から識別ＩＤを伴う視聴情報を受信して記録部に記録する視聴情報受信手段と、
(b2)第２のユーザ端末からアクセスを受けると、所定の認証コードを送信する認証コード送信手段と、
(b3)第１のユーザ端末から識別ＩＤを伴う認証コードを受信する認証コード受信手段と、
(b4)前記第１のユーザ端末から受信した認証コードが、前記第２のユーザ端末に送信した所定の認証コードと合致する場合に、前記第２のユーザ端末が正当であると認証するユーザ端末認証手段と、
(b5)前記第２のユーザ端末が正当であると認証した場合に、前記認証コードを送信した第１のユーザ端末の識別ＩＤに基づく視聴情報から前記第２のユーザ端末に送信すべきコンテンツを特定するコンテンツ特定手段と、
(b6)特定した前記コンテンツを前記第２のユーザ端末に送信するコンテンツ送信手段とを備え、
(c)第２のユーザ端末は、
(c1)コンテンツサーバにアクセスするアクセス手段と、
(c2)前記コンテンツサーバから認証コードを受信する認証コード受信手段と、
(c3)前記コンテンツサーバから受信した認証コードを第１のユーザ端末に引き渡す認証コード引渡手段と、
(c4)前記コンテンツサーバからコンテンツを受信するコンテンツ受信手段と、
(c5)前記コンテンツサーバから受信した前記コンテンツをユーザに視聴させるコンテンツ視聴手段とを備えたこと、
を特徴とする。
【００１０】
これにより、携帯電話などのモバイル機器を用いてワンセグ放送のコンテンツを視聴していたユーザは、インターネットに接続された自宅の端末機器を用いて、携帯電話において視聴していたコンテンツを継続的に視聴することができる。
【００１１】
特に、店舗においてスポット的に放送されているワンセグ放送のコンテンツについては店舗以外の場所では受信することができないところ、同コンテンツを別の場所において継続して視聴させることができる。また、店舗において実際にコンテンツを視聴していたユーザであることの正当性を判断して、コンテンツを配信することができる。
【００１２】
(2)(9)この発明に係るコンテンツ視聴システムにおいては、第１のユーザ端末がコンテンツサーバに送信する視聴情報は、コンテンツＩＤを含むものであり、前記コンテンツサーバの視聴情報受信手段は、第１のユーザ端末から受信した視聴情報に含まれるコンテンツＩＤに基づいてコンテンツの視聴経過時間を算出し、前記コンテンツＩＤに対応付けて視聴経過時間を記録部に記録すること、を特徴とする。
【００１３】
したがって、ワンセグ放送において視聴していたコンテンツについて、その途中から継続して別の機器で視聴することができる。これにより、コンテンツを初めから再生する必要がなく、効率的にコンテンツを視聴させることができる。
【００１４】
(3)(10)この発明に係るコンテンツ視聴システムにおいては、第１のユーザ端末がコンテンツサーバに送信する視聴情報は、コンテンツＩＤおよびコンテンツの視聴経過時間を含むものであり、前記コンテンツサーバの視聴情報受信手段は、第１のユーザ端末から受信した視聴情報に含まれるコンテンツＩＤおよびコンテンツの視聴経過時間を記録部に記録することを特徴とする。
【００１５】
したがって、ワンセグ放送において視聴していたコンテンツについて、その途中から継続して別の機器で視聴することができる。これにより、コンテンツを初めから再生する必要がなく、効率的にコンテンツを視聴させることができる。
【００１６】
(4)この発明に係るコンテンツ視聴システムにおいては、第２のユーザ端末の認証コード引渡手段は、認証コードを画像化情報として提示することによって引き渡すものであり、第１のユーザ端末の認証コード取得手段は、前記画像化情報を取り込むことによって認証コードを取得するものであること、を特徴とする。
【００１７】
したがって、第２のユーザ端末から第１のユーザ端末に対して、簡単に認証コードを転送することができる。
【００１８】
(5)この発明に係るコンテンツ視聴システムにおいては、第２のユーザ端末の認証コード引渡手段は、認証コードをデータ転送によって引き渡すものであり、第１のユーザ端末の認証コード取得手段は、前記認証コードをデータ転送によって取得するものであること、を特徴とする。
【００１９】
したがって、第２のユーザ端末から第１のユーザ端末に対して、簡単に認証コードを転送することができる。
【００２０】
(6)この発明に係るコンテンツ視聴システムにおいては、第２のユーザ端末の認証コード引渡手段は、認証コードに加えて、コンテンツサーバにアクセスするためのＵＲＬを引き渡すものであり、第１のユーザ端末の認証コード送信手段は、前記認証コード取得手段において取得した前記ＵＲＬに基づいて、認証コードをコンテンツサーバに送信すること、を特徴とする。
【００２１】
したがって、第２のユーザ端末から第１のユーザ端末に対して、簡単に認証コードを転送するとともに、当該認証コードを送信すべきＵＲＬを同時に転送することができる。
【００２２】
(7)この発明に係るコンテンツ視聴システムにおいては、第２のユーザ端末のアクセス手段は、第１のユーザ端末にかかる識別ＩＤをともなってコンテンツサーバにアクセスするものであり、前記コンテンツサーバの認証コード送信手段は、前記識別ＩＤに対応する認証コードを第２のユーザ端末に送信すること、を特徴とする。
【００２３】
したがって、コンテンツサーバにおける認証処理を高速に行うことができる。
【００２４】
(13)(16)この発明に係る端末認証システムは、
第１のユーザ端末、第２のユーザ端末および認証サーバを備えた端末認証システムであって、
第１のユーザ端末は、
識別ＩＤを認証サーバに送信する識別ＩＤ送信手段と、
第２のユーザ端末から取得した認証コードを前記管理サーバに送信する認証コード送信手段とを備え、
管理サーバは、
第１のユーザ端末から識別ＩＤを受信して記録部に記録する識別ＩＤ受信手段と、
第２のユーザ端末からアクセスを受けると、所定の認証コードを送信する認証コード送信手段と、
第１のユーザ端末から識別ＩＤを受信すると、当該認証コードが、前記第２のユーザ端末に送信した所定の認証コードと合致するか否かを判断し、合致する場合には、前記第２のユーザ端末の正当性を認証するユーザ端末認証手段とを備え、
第２のユーザ端末は、
前記認証サーバから受信した認証コードを第１のユーザ端末に引き渡す認証コード引渡手段を備えたこと、
を特徴とする。
【００２５】
したがって、２つの端末が一のユーザに属するものであることを容易に認証することができる。
【００２６】
［実施形態との対応］
第１のユーザ端末は、以下に示す実施形態において、店舗のワンセグ放送を受信する携帯電話ａが該当する。また、第２のユーザ端末は、ユーザの自宅に設置されたＰＣｃが該当する。
【００２７】
(a1)ワンセグ放送から受信したコンテンツをユーザに視聴させるコンテンツ視聴手段は、実施形態においては図５に示したステップＳ５２１〜Ｓ５２３の機能がこれに該当する。(a2)ユーザから視聴情報の送信指示を受け付ける送信指示受付手段は、実施形態においては図５に示したステップＳ５２５の機能がこれに該当する。
【００２８】
(a3)識別ＩＤを伴う視聴情報をコンテンツサーバに送信する視聴情報送信手段は、実施形態においては図５に示したステップＳ５２７の機能がこれに該当する。なお、識別ＩＤは、携帯電話番号が該当する。(a4)第２のユーザ端末から認証コードを取得する認証コード取得手段は、実施形態においては図５に示したステップＳ５２９の機能がこれに該当する。(a5)第２のユーザ端末から取得した認証コードを前記識別ＩＤとともに前記コンテンツサーバに送信する認証コード送信手段は、実施形態においては図５に示したステップＳ５３１の機能がこれに該当する。
【００２９】
(b1)第１のユーザ端末から識別ＩＤを伴う視聴情報を受信して記録部に記録する視聴情報受信手段は、実施形態においては図５に示したステップＳ５０１の機能がこれに該当する。(b2)第２のユーザ端末からアクセスを受けると、所定の認証コードを送信する認証コード送信手段は、実施形態においては図５に示したステップＳ５０３の機能がこれに該当する。(b3)第１のユーザ端末から識別ＩＤを伴う認証コードを受信する認証コード受信手段は、実施形態においては図５に示したステップＳ５３１の機能がこれに該当する。
【００３０】
(b4)前記第１のユーザ端末から受信した認証コードが、前記第２のユーザ端末に送信した所定の認証コードと合致する場合に、前記第２のユーザ端末が正当であると認証するユーザ端末認証手段は、実施形態においては図５に示したステップＳ５０７の機能がこれに該当する。(b5)前記第２のユーザ端末が正当であると認証した場合に、前記認証コードを送信した第１のユーザ端末の識別ＩＤに基づく視聴情報から前記第２のユーザ端末に送信すべきコンテンツを特定するコンテンツ特定手段は、実施形態においては図５に示したステップＳ５０９の機能がこれに該当する。(b6)特定した前記コンテンツを前記第２のユーザ端末に送信するコンテンツ送信手段は、実施形態においては図５に示したステップＳ５０９の機能がこれに該当する。
【００３１】
(c1)コンテンツサーバにアクセスするアクセス手段は、実施形態においては図５に示したステップＳ５４１の機能がこれに該当する。(c2)前記コンテンツサーバから認証コードを受信する認証コード受信手段は、実施形態においては図５に示したステップＳ５０５およびＳ５４５において、認証コードおよびＵＲＬを受信してディスプレイ４０１に表示させる機能がこれに該当する。(c3)前記コンテンツサーバから受信した認証コードを第１のユーザ端末に引き渡す認証コード引渡手段は、実施形態においては図５に示したステップＳ５４５およびＳ５２９の機能がこれに該当する。
【００３２】
(c4)前記コンテンツサーバからコンテンツを受信するコンテンツ受信手段は、実施形態においては図５に示したステップＳ５４７の機能がこれに該当する。(c5)前記コンテンツサーバから受信した前記コンテンツをユーザに視聴させるコンテンツ視聴手段は、実施形態においては図５に示したステップＳ５４７の機能がこれに該当する。
【００３３】
「画像化情報」とは、画像として表された情報（データ）をいい、バーコードまたは二次元コードを含む概念である。
【００３４】
この発明において、「手段」とは、プログラムによって実現されるＣＰＵの機能を含む概念である。ここで、「プログラム」とは、ＣＰＵにより直接実行可能なプログラムだけでなく、ソース形式のプログラム、圧縮処理がされたプログラム、暗号化されたプログラム等を含む概念である。
【発明を実施するための最良の形態】
【００３５】
１．第１の実施形態
本実施形態においては、店舗においてのみスポット的に放送されているワンセグ放送のコンテンツを携帯電話ａを用いて視聴しているユーザが、自宅に設置されているＰＣ（パーソナルコンピュータ）ｃを用いてコンテンツサーバｂにアクセスしてコンテンツを受信し、上記コンテンツを継続的に視聴する例について説明する。
【００３６】
１−１．システム構成図
図１に、この発明の一実施形態によるコンテンツ視聴システムのシステム構成の例を示す。このシステム構成図においては、携帯電話ａ、ワンセグ放送局ｘと連携するコンテンツサーバｂおよびＰＣｃが、インターネット等のネットワーク１を介して接続されており、それぞれが通信可能である。
【００３７】
携帯電話ａは、ユーザの所持するワンセグ放送受信機能およびインターネット接続機能を備えた携帯電話であり、受信したコンテンツを視聴するとともに、当該コンテンツをＰＣｃを用いて継続して視聴するための操作を行うためのものである。
【００３８】
コンテンツサーバｂは、コンテンツ提供業者の有するコンピュータ装置であり、ワンセグ放送局ｘから送出されるコンテンツと同一のコンテンツを記録するとともに、携帯電話ａおよびＰＣｃを認証した場合には、ユーザが携帯電話ａで視聴していたコンテンツを継続してＰＣｃにおいて視聴させるためのものである。
【００３９】
ＰＣｃは、ユーザの自宅やネットカフェ等に設置されたコンピュータ装置であり、ユーザが携帯電話ａで視聴していたコンテンツをネットワークを介して継続して視聴するためのものである。
【００４０】
なお、図１においては、携帯電話ａ、コンテンツサーバｂおよびＰＣｃは、それぞれ１つずつしか記載されていないが、それぞれが１つ以上であってもよい。
【００４１】
１−２．処理概要
以下に、本発明にかかるコンテンツ視聴システムの処理概要を機能ブロック図を用いて説明する。図１における携帯電話ａ、コンテンツサーバｂおよびＰＣｃの内部には、各装置の機能ブロック図が記載されている。
【００４２】
携帯電話ａにおけるコンテンツ視聴手段１０１は、ワンセグ放送から受信した任意のコンテンツをユーザに視聴させる。送信指示受付手段１０３は、コンテンツ視聴中のユーザからの操作に基づいてコンテンツＩＤおよび視聴経過時間のコンテンツサーバｂへの送信指示を受け付ける。視聴情報送信手段１０５は、コンテンツＩＤおよび視聴経過時間に加えて携帯電話番号をコンテンツサーバｂに送信する。認証コード取得手段１０７は、ユーザ自宅のＰＣｃのディスプレイに表示された二次元コードを読み取って認証コードを取得する。認証コード送信手段１０９は、取得した認証コードを携帯電話番号とともにコンテンツサーバｂに送信する。
【００４３】
コンテンツサーバｂにおける視聴情報受信手段１２１は、携帯電話ａから携帯電話番号を伴うコンテンツＩＤおよび視聴経過時間を受信して、これらを記録部１２３に記録する。認証コード送信手段１２５は、ＰＣｃからアクセスを受けると所定の認証コードを二次元コード化して送信する。認証コード受信手段１２７は、携帯電話ａからのアクセスを受けて、携帯電話番号を伴う認証コードを受信する。ユーザ端末認証手段１２９は、携帯電話ａから受信した認証コードが、ＰＣｃに二次元コード化して送信した所定の認証コードと合致するか否かを判断して、合致する場合にはＰＣｃが正当であると認証する。コンテンツ特定手段１３１は、ＰＣｃが正当であると認証した場合に、認証コードを送信してきた携帯電話ａの携帯電話番号に対応付けて記録しているコンテンツＩＤおよび視聴経過時間からＰＣｃに対して送信すべきコンテンツおよび視聴経過時間を特定する。コンテンツ送信手段１３３は、ＰＣｃに対して特定されたコンテンツを視聴経過時間からストリーミング送信する。
【００４４】
ＰＣｃにおけるアクセス手段１４１は、インターネットを介してコンテンツサーバｂにアクセスする。認証コード受信手段１４３は、コンテンツサーバｂから二次元コード化された認証コードを受信する。認証コード引渡手段１４５は、コンテンツサーバｂから受信した認証コードを携帯電話ａに引き渡すために、二次元コードをディスプレイ表示する。コンテンツ受信手段１４７は、コンテンツサーバｂからストリーミング送信されるコンテンツを受信する。コンテンツ視聴手段１４９は、コンテンツサーバｂからストリーミング送信されるデータを受信して、コンテンツを視聴経過時間からユーザに視聴させる。
【００４５】
１−３．ハードウエア構成
１−３−１．携帯電話（第１のユーザ端末）
図１に示した携帯電話ａをＣＰＵを用いて実現したハードウェア構成の一例を図２に示す。この携帯電話ａは、ディスプレイ２０１、ＣＰＵ２０３、キーボード２０５、カメラ２０６、メモリ２０７、ワンセグチューナー２０８および通信回路２０９を備えている。なお、キーボード２０５は、文字、数字もしくは記号等の入力または各種機能の操作入力を行うためのものである。
【００４６】
メモリ２０７には、ワンセグ放送を受信してユーザに視聴させるためのワンセグ視聴プログラム２０７１、ワンセグ放送において映像および音声と同時に送出されるデータ放送を表示するためのＢＭＬ（Broadcast Markup Language）ブラウザプログラム２０７２および、カメラ２０６によって撮影された二次元コードをスキャンして認識するための二次元コード認識プログラム２０７３が記録される。
【００４７】
ＢＭＬブラウザプログラム２０７２は、データ放送からワンセグ放送されているコンテンツのコンテンツＩＤおよび視聴経過時間等を取得して表示等するための処理を行う。
【００４８】
図１に示した携帯電話ａを構成するコンテンツ視聴手段１０１は、ＣＰＵ２０３上においてワンセグ視聴プログラム２０７１を実行することによって実現される。送信指示受付手段１０３および視聴情報送信手段１０５は、ＣＰＵ２０３上においてＢＭＬ（Broadcast Markup Language）ブラウザプログラム２０７２およびウェブブラウザプログラム２０７４を実行することによって実現される。認証コード取得手段１０７は、ＣＰＵ２０３上において二次元コード認識プログラム２０７３を実行することによって実現される。認証コード送信手段１０９は、ＣＰＵ２０３上においてウェブブラウザプログラム２０７４を実行することによって実現される。
【００４９】
１−３−２．コンテンツサーバ
図１に示したコンテンツサーバｂをＣＰＵを用いて実現したハードウェア構成の一例を図３に示す。このコンテンツサーバｂは、ディスプレイ３０１、ＣＰＵ３０３、メモリ３０５、キーボード／マウス３０７、ハードディスク３０９、ＣＤ−ＲＯＭドライブ３１１および通信回路３１５をそれぞれ備えている。
【００５０】
ハードディスク３０９には、ユーザ端末認証プログラム３０９１、ユーザ管理データベース３０９２、コンテンツ管理データベース３０９３およびコンテンツ送信プログラム３０９４が記録されている。ユーザ端末認証プログラム３０９１およびコンテンツ送信プログラム３０９４は、ＣＤ−ＲＯＭドライブ３１１を介してＣＤ−ＲＯＭ３１２に記録されたプログラムを読み出してインストールされたものである。なお、上記インストールは、インターネット等のネットワークからダウンロードしたプログラムを使用して行うようにしてもよい。
【００５１】
ユーザ端末認証プログラム３０９１は、携帯電話ａからの視聴情報としてコンテンツＩＤおよび視聴経過時間を受信してこれを記録しておき、携帯電話ａから後に送信されてきた認証コードが、ＰＣｃに対して送信した認証コードと合致する場合に、ＰＣｃを正当であると認証するための各種処理を行う。
【００５２】
図１に示したコンテンツサーバｂを構成する、視聴情報受信手段１２１、認証コード送信手段１２５、認証コード受信手段１２７およびユーザ端末認証手段１２９は、ＣＰＵ２０３上においてユーザ端末認証プログラム３０９１を実行することによって実現される。コンテンツ特定手段１３１およびコンテンツ送信手段１３３は、コンテンツ送信プログラム３０９４によって実現される。
【００５３】
１−３−３．ＰＣ（第２のユーザ端末）
図１に示したＰＣｃをＣＰＵを用いて実現したハードウェア構成の一例を図４に示す。このＰＣｃは、ディスプレイ４０１、ＣＰＵ４０３、メモリ４０５、キーボード／マウス４０７、ハードディスク４０９、ＣＤ−ＲＯＭドライブ４１１および通信回路４１５をそれぞれ備えている。
【００５４】
ハードディスク４０９には、ウェブブラウザプログラム４０９１およびコンテンツ視聴プログラム４０９２が記録されている。ウェブブラウザプログラム４０９１は、コンテンツサーバｂにアクセスして、認証コードを含む二次元コードを表示して携帯電話ａに引き渡す処理を行う。また、携帯電話ａが認証コードをコンテンツサーバｂに送信して、ＰＣｃがコンテンツサーバｂにおいて認証された後においては、コンテンツサーバｂから受信したコンテンツをコンテンツ視聴プログラム４０９２に引き渡して再生させ、ユーザにコンテンツを視聴させる処理を行う。
【００５５】
図１に示したＰＣｃを構成する、アクセス手段１４１、認証コード受信手段１４３、認証コード引き渡し手段１４５コンテンツ受信手段１４７は、ＣＰＵ２０３上においてウェブブラウザプログラム４０９１を実行することによって実現される。また、コンテンツ視聴手段１４９は、ＣＰＵ２０３上においてコンテンツ視聴プログラム４０９２を実行することによって実現される。
【００５６】
１−４．処理詳細
図５〜９を用いて、本実施形態における処理詳細を説明する。図５は、本実施形態のコンテンツ視聴システムにおいて、ユーザが携帯電話ａにおいて視聴していたコンテンツを、ＰＣｃを用いて継続的に視聴する場合のフローチャートの例である。図６および図９は、ユーザが操作指示を行う場合の携帯電話ａのディスプレイ２０１の表示の例である。図７のＡは、コンテンツサーバｂにおいて記録されるユーザ管理データベース３０９２の例である。図７のＢは、コンテンツサーバｂにおいて記録されるコンテンツ管理データベース３０９３の例である。図８は、ユーザがコンテンツを継続して視聴する場合における自宅ＰＣｃのディスプレイ４０１の表示の例である。
【００５７】
１−４−１．視聴情報の送信および記録
ユーザがキーボード２０５を操作すると、携帯電話ａのＣＰＵ２０３はワンセグチューナー２０８を起動し、ワンセグ放送を受信して所定のコンテンツをディスプレイ２０１に表示する（ステップＳ５２１、Ｓ５２３）。図６の状態６０１に示すように、ワンセグ放送を受信する携帯電話ａのディスプレイ２０１には、コンテンツを表示する映像６２１に加えて、コンテンツと同時にデータ放送として送出されるデータ６２３が表示される。これにより、ユーザは、コンテンツ映像とデータ放送を同時に視聴する。
【００５８】
データ放送として受信したデータは、ＢＭＬブラウザによって表示処理がなされており、例えば、コンテンツ映像に関する情報やその他の情報が随時更新されて表示される。状態６０１においては、「番組情報」を表示するための文字リンクボタン６２５、コンテンツの「視聴経過時間」を表示する情報６２７および後述する「続きを記録」する操作を行うための起動ボタン６２９が表示される。
【００５９】
状態６０１において、ユーザが「続きを記録」ボタン６２９を押下すると、ＣＰＵ２０３は、所定処理を実行し、状態６０３に示すように携帯電話番号入力欄６３１を表示する。
【００６０】
さらに、ユーザが自己の携帯電話ａの携帯電話番号を携帯電話番号入力欄６３１に入力して、記録ボタン６３３を押下すると、ＣＰＵ２０３は、ユーザからコンテンツに関する記録指示があったと判断して（ステップＳ５２５，ＹＥＳ）、視聴情報をコンテンツサーバｂに送信する処理を行う（ステップＳ５２７）。ここで、視聴情報として送信される情報は、携帯電話番号入力欄６３１に入力された携帯電話番号、表示中のコンテンツを識別するためのコンテンツＩＤおよび当該コンテンツの視聴経過時間を含むものである。
【００６１】
なお、コンテンツサーバｂとの通信には、携帯電話のネットワーク通信機能を使用する。ワンセグ放送のデータ放送は一方向通信であり、携帯電話からデータを送信することができないためである。この場合、例えば、ＥＺｗｅｂ（商標）等に代表される携帯電話のインターネット接続機能を利用すればよい。
【００６２】
ユーザがＢＭＬブラウザからのネットワーク通信機能の利用を承諾する場合には、状態６０５において「はい」ボタン６５１が押下される。これを受けて、ＣＰＵ２０３は、ウェブブラウザプログラム２０７４をバックグラウンドで起動してコンテンツサーバｂに接続し、視聴情報を送信する。
【００６３】
コンテンツサーバｂのＣＰＵ３０３は、視聴情報として送信された情報をユーザ管理データベース３０９２に記録する（ステップＳ５０１）。具体的には、図７のＡに示すように、携帯電話番号入力欄６３１に入力された携帯電話番号、表示中のコンテンツを識別するためのコンテンツＩＤおよび当該コンテンツの視聴経過時間等を、ユーザ管理データベース３０９２の７０１、７０３および７０５にそれぞれ記録する。
【００６４】
例えば、図６の状態６０１において表示されるコンテンツのコンテンツＩＤが「００３」であり、ユーザの携帯電話番号が「０９０１２３４５６７８」であり、視聴継続時間が「００：１２：３４（ｈｈ：ｍｍ：ｓｓ）」である場合には、図７のＡのレコード７２１が記録される。また、コンテンツサーバｂのＣＰＵ３０３は同時に認証コードを生成して７０７に記録する。この認証コードは、後述するユーザのＰＣｃを認証するためのものであり、例えば、乱数等を用いて生成される任意の数字や文字列がこれに該当する。
【００６５】
コンテンツサーバｂは、視聴情報をユーザ管理データベース３０９２に記録すると、記録完了を示すステータスを携帯電話ａに送信する。これを受けて、携帯電話ａのＣＰＵ２０３は、図６の状態６０７に示すように、記録完了の旨に加えて、コンテンツをＰＣｃ等で継続視聴するためのＵＲＬをディスプレイ２０１に表示する。なお、戻るボタン６７１の押下により、視聴画面に戻ることもできる。
【００６６】
１−４−２．ユーザＰＣの認証
携帯電話ａでワンセグ放送を視聴していたユーザは、自宅やネットカフェ等に設置されているＰＣｃを用いてコンテンツを継続して視聴するため、ＰＣｃのウェブブラウザプログラム４０９１を起動させてコンテンツサーバｂにアクセスする（ステップＳ５４１）。例えば、図６の携帯電話ａのディスプレイ画面の状態６０７において表示されたＵＲＬ（www.kccs.co.jp/aaa)をウェブブラウザプログラム４０９１の実行によって表示される画面に入力することにより、コンテンツサーバｂにアクセスする。
【００６７】
アクセスを受けて、コンテンツサーバｂは、ユーザ認証プログラム３０９１を実行することにより、ＰＣｃに対して認証画面を送信する（ステップＳ５０３）。図８の８０１に認証画面の例を示す。認証画面８０１には、携帯電話番号の入力を促す旨およびその入力欄８２１が表示される。例えば、ユーザがＰＣｃのキーボード／マウス４０７を用いて、自己の携帯電話ａの携帯電話番号「０９０１２３４５６７８」を入力欄８２１に入力して送信ボタン８２３を押下すると、ＰＣｃのＣＰＵ４０３は、コンテンツサーバｂに対して携帯電話番号を送信する（ステップＳ５４３）。
【００６８】
送信を受けて、コンテンツサーバｂのユーザ認証プログラム３０９１を実行するＣＰＵ３０３は、受信した携帯電話番号に基づいて、これに対応づけて記録している所定の認証コードを読み出す。例えば、コンテンツサーバｂのＣＰＵ３０３は、携帯電話番号「０９０１２３４５６７８」に基づいて、図７のＡに示したユーザ管理データベース３０９２のレコード７２１において対応付けて記録されている認証コード「１８３７」を読み出す。
【００６９】
さらに、ＣＰＵ３０３は、読み出した認証コードおよび、携帯電話ａがコンテンツサーバｂにアクセスして認証を受けるためのＵＲＬに基づいて二次元コードを生成し、これを認証コードおよびＵＲＬとともにＰＣｃに送信してディスプレイ４０１に表示させる（ステップＳ５０５，Ｓ５４５）。例えば、認証コードおよびＵＲＬを示すテキスト情報から二次元コードの１つであるＱＲコード（商標）を生成して送信する。なお、二次元コードの生成には所定の生成プログラム（図示しない）を用いればよい。
【００７０】
図８の８０３に認証コード、ＵＲＬおよび、これらを示す二次元コードを表示する認証コード出力画面の例を示す。例えば、認証コード出力画面８０３には、認証コード「１８３７」８３１、ＵＲＬ「www.kccs.co.jp/aaa」８３３および、ＱＲコード画像８３５が表示される。
【００７１】
次に、携帯電話ａのＣＰＵ２０３は、二次元コード認識プログラム２０７３を起動して、ＰＣｃのディスプレイ４０１に表示されている二次元コードを読み取る（ステップＳ５２９）。図９の９０１に、二次元コードの読み取り結果を示す二次元コード読取結果画面の例を示す。二次元コード読取結果画面９０１においては、コンテンツサーバｂにアクセスするためのＵＲＬが表示される。
【００７２】
なお、このＵＲＬは、認証コードを引数としてコンテンツサーバにおける所定のＣＧＩプログラムを実行させるものである。二次元コードの読み取り機能が無い携帯電話を用いる場合には、携帯電話のウェブブラウザプログラム２０７４を起動して、ＵＲＬ「www.kccs.co.jp/aaa」を入力し、その後に表示される画面において認証コード「１８３７」を入力するようにしてもよい。
【００７３】
二次元コード読取結果画面９０１において、ユーザが「ＵＲＬへジャンプする」ボタン９２３を押下すると、コンテンツサーバｂは、携帯電話番号入力画面９０３を携帯電話ａに対して返信する。例えば、ユーザが自己の携帯電話ａの携帯電話番号「０９０１２３４５６７８」を入力欄９３１に入して送信ボタン９３３を押下すると、認証コード「１８３７」とともに携帯電話番号「０９０１２３４５６７８」がコンテンツサーバｂに送信される（ステップＳ５３１）。
【００７４】
送信を受けて、コンテンツサーバｂのＣＰＵ３０３は、携帯電話ａから送信されてきた携帯電話番号および認証コードに基づいて、ユーザ管理データベース３０９２を検索し、該当するレコードが存在するか否かにより、ＰＣｃが正当であるか否かを認証する（ステップＳ５０７）。例えば、携帯電話番号「０９０１２３４５６７８」および認証コード「１８３７」に基づいて、ユーザ管理データベース３０９２を検索する。この場合、図７のＡのレコード７２１に携帯電話番号「０９０１２３４５６７８」および認証コード「１８３７」が存在しているので、ＰＣｃが正当であると判断する。
【００７５】
ＣＰＵ３０３は、ユーザ管理データベース３０９２に記録されたレコードに基づいてＰＣｃに送信すべきコンテンツを読み出し、これを送信する（ステップＳ５０９）。例えば、図７のＡのレコード７２１の場合には、コンテンツＩＤ「００３」によって特定されるコンテンツを、図７のＢのコンテンツ管理データベース３０９３のレコード７８１から読み出す。また、レコード７２１の視聴経過時間７０５「００：１２：３４」に基づいて、コンテンツ送信を開始する時間を特定する。なお、この開始時間は、実際の視聴経過時間よりも若干早い時間（手前の時間）に設定するようにしてもよい。これにより、通信のタイムラグを解消したり、ユーザに視聴をスムーズに継続させることができる。
【００７６】
コンテンツサーバｂのＣＰＵ３０３は、コンテンツ送信プログラム３０９４を実行して、上記において特定して読み出したコンテンツを、同じく特定した視聴経過時間から、ＰＣｃに向けてストリーミング送信する。
【００７７】
ストリーミング送信を受けて、ＰＣｃのＣＰＵ４０３は、コンテンツ視聴プログラム４０９２を起動し、受信したコンテンツを表示する（ステップＳ５４７）。なお、図８の８０５は、ＰＣｃにおけるコンテンツ再生画面の例である。
【００７８】
以上により、ユーザは、コンテンツＩＤ「００３」のコンテンツを、視聴経過時間「００：１２：３４」から視聴を継続することができる。
【００７９】
１−５．まとめ
以上説明したように、この発明によれば、店舗等においてスポット的に放送されているワンセグ放送のコンテンツを、携帯電話等を用いて視聴していたユーザは、インターネットに接続された自宅のＰＣ等を用いて、携帯電話において視聴していたコンテンツを継続的に視聴することができる。
【００８０】
また、店舗においては、実際に店舗に来店してコンテンツを視聴していたユーザのみに対して、インターネット経由でコンテンツの視聴を継続させることができる。これにより、顧客の来店率を高めて販売促進効果を上げることができる。
【００８１】
２．他の実施形態
２−１．認証コードの転送
上記実施形態（図５のステップＳ５２９）においては、コンテンツサーバｂからＰＣｃに送信されたＱＲコードを、携帯電話ａがＰＣｃのディスプレイから読み取ることによって取得するように構成したが、認証コードを含むデータをＰＣｃから携帯電話ａにデータ転送することによって取得するようにしてもよい。例えば、ケーブル接続、無線ＬＡＮ、赤外線または電磁結合によってデータ転送するようにしてもよい。
【００８２】
２−２．携帯電話番号
上記実施形態（図５のステップＳ５２７、Ｓ５３１）においては、携帯電話ａを識別するために携帯電話番号を、ユーザに入力させるように構成したが、ユーザの許可を得て携帯電話番号を自動送信するように構成してもよい。これにより、操作を簡単にすることができる。また、携帯電話番号に代えて、携帯電話ａ毎にユニークに割り当てられている端末識別子を用いてもよい。
【００８３】
２−３．ワンセグ放送
上記実施形態（図５のステップＳ５２１）においては、店舗においてスポット的に放送されているコンテンツを視聴する例を説明したが、一般の放送局から放送区域において放送されているワンセグ放送のコンテンツを視聴する構成としてもよい。
【００８４】
２−４．ワンセグ放送以外
上記実施形態（図１）においては、ワンセグ放送のコンテンツを継続して視聴する例を説明したが、ワンセグ放送以外において配信されるコンテンツであってもよい。例えば、衛星放送、インターネットまたはデジタルラジオ放送であってもよい。
【００８５】
２−５．モバイル機器
上記実施形態（図１）においては、ワンセグ放送のコンテンツを受信するために携帯電話を用いたが、ワンセグ放送が受信でき、かつ、インターネット接続が可能である他の機器であってもよい。例えば、携帯情報端末（ＰＤＡ）、携帯ゲーム機、電子辞書または小型テレビ等であってもよい。
【００８６】
２−６．ＰＣ
上記実施形態（図１）においては、コンテンツを継続して視聴するためにＰＣを用いる例を説明したが、コンテンツを受信可能なネットワークに接続が可能である他の機器を用いてもよい。例えば、携帯電話、携帯情報端末（ＰＤＡ）、携帯ゲーム機、電子辞書またはテレビ等であってもよい。
【００８７】
２−７．視聴経過時間
上記実施形態（図５、ステップＳ５２７）においては、携帯電話ａからコンテンツサーバｂに対して視聴経過時間を送信するように構成したが、携帯電話から視聴情報を受信した時刻に基づいてコンテンツサーバｂ側で視聴経過時間を算出するようにしてもよい。例えば、ワンセグ放送局ｘから送出されているコンテンツの状況をコンテンツサーバｂにおいて管理でき、視聴経過時間を判断可能である場合がこれに該当する。また、コンテンツ再生を行う際に視聴経過時間を算出するようにしてもよい。さらに、視聴経過時間に代えて、コンテンツの残り時間を用いて、継続視聴する位置を特定するようにしてもよい。
【００８８】
２−８．記録指示の送信
上記実施形態（図５、ステップＳ５２５）においては、携帯電話ａにおいてユーザからの記録指示があった場合に、視聴情報をコンテンツサーバｂに対して送信するように構成したが、携帯電話の操作状況や電波の受信状態に基づいて自動的に視聴情報を送信するようにしてもよい。例えば、ワンセグ放送のチャンネルを切り替えた場合や、店舗におけるワンセグ放送エリアを離れた場合に視聴情報を送信するようにしてもよい。この場合、携帯電話番号の送信やネットワーク送信の確認が、予めユーザによって許諾されていることが望ましい。
【００８９】
２−９．コンテンツ
上記実施形態においては、店舗においてスポット的に放送されるコンテンツの例を示したが、本システムは、コンテンツの内容に応じて様々な応用が可能である。
【００９０】
２−９−１．例えば、コンテンツが、野球やサッカーのように生中継されるライブ映像であってもよい。この場合、コンテンツは、コンテンツサーバに逐次記録しておけばよい。この場合、視聴経過時間に代えて、試合経過を示す情報としてもよい。例えば、野球のイニングがこれに該当する。
【００９１】
２−９−２．例えば、コンテンツが、観光地、美術館、博物館または寺社仏閣等を現地でガイドするためのものであってもよい。この場合、視聴経過時間を送信する必要はなく、ユーザは自宅のＰＣｃにおいて再度コンテンツを視聴することができる。
【００９２】
２−９−３．例えば、コンテンツが、百貨店またはショッピングセンター等において施設案内をするためのものであってもよい。この場合、ユーザが自宅のＰＣｃにおいてコンテンツを視聴すると特価情報や割引クーポンが取得できるように構成することにより、集客効果が見込める。
【００９３】
２−１０．会員登録
上記実施形態（図６の状態６０７）においては、コンテンツサーバｂが視聴情報を記録すると、コンテンツを継続視聴するためのＵＲＬをＰＣｃに表示するように構成したが、予め会員登録しているユーザの電子メールアドレスに、コンテンツサーバｂにアクセスするためのＵＲＬを送信するようにしてもよい。これにより、ユーザは、電子メールのＵＲＬをクリックするだけで簡単にサーバにアクセスすることができる。
【００９４】
２−１１．認証アプリ
上記実施形態（図５、ステップＳ５２９）においては、携帯電話ａは、ＱＲコードから読み取った認証コードおよびＵＲＬに基づいてコンテンツサーバｂにアクセスするように構成したが、予め携帯電話に記録した認証コードを送信する認証アプリにより行うようにしてもよい。なお、携帯電話ａにおいて実行されるアプリケーションプログラムであって、コンテンツサーバｂが認証を行うために用いるものである。この場合の例を、図５ａ、図８ａおよび図１０を追加して以下説明する。図５ａは、枠５００以外は、上記において示した図５と同様である。
【００９５】
（１）図１０は、会員登録を示す会員ユーザ管理データベースの例であり、このデータベースは、ユーザＩＤ１００１、携帯電話番号１００３およびＰＣメールアドレス１００５を含んでおり、コンテンツサーバｂのハードディスク３０９に記録される。例えば、携帯電話番号「０９０１２３４５６７８」のユーザのユーザＩＤ１００１は「ＸＹＺ」であり、ＰＣメールアドレス１００５は「ｘｙｚ＠ｘｙｚ．ｎｅ．ｊｐ」である。
【００９６】
（２）図５のステップＳ５０１において、コンテンツサーバｂのＣＰＵ３０３が視聴情報をユーザ管理データベース３０９２に記録すると、さらに、ＣＰＵ３０３は、携帯電話番号に基づくユーザを図１０の会員ユーザ管理データベース１０００から特定して、電子メールアドレスを取得し、アクセス先を示すＵＲＬを電子メールで送信する（ステップＳ５０４）。例えば、レコード１０１１から携帯電話番号「０９０１２３４５６７８」のユーザのＰＣメールアドレス１００５「ｘｙｚ＠ｘｙｚ．ｎｅ．ｊｐ」を取得して、ＵＲＬ「www.kccs.co.jp/aaa/xyz」を送信する。
【００９７】
（３）ユーザのＰＣｃの電子メール画面において、ユーザがキーボード／マウス４０７を用いて上記ＵＲＬ「www.kccs.co.jp/aaa/xyz」を選択してコンテンツサーバｂにアクセスすると（ステップＳ５４２）、コンテンツサーバｂのＣＰＵ３０３は、図８ａの８５１に示す指示画面を送信する（ステップＳ５０６）。
【００９８】
（４）これを受けて、ＰＣｃのＣＰＵ４０３は、指示画面であるコンテンツ再生画面８５１をディスプレイ４０１に表示する。この画面はコンテンツを再生するためのアプリケーションにより表示されているが、画面には「携帯電話で認証アプリを起動してください。」が表示されており、ユーザが携帯電話ａから認証コードを送信しない限り、コンテンツの再生が行われないようにしている。なお、再生ボタン等の操作ボタンは、表示はされるが使用不可に設定されている。
【００９９】
（５）ユーザが携帯電話ａの認証アプリを起動するとディスプレイ２０１に認証アプリ画面８９１が表示される（ステップＳ５２８）。この画面において、ユーザが「はい」ボタン８９３を押下すると、携帯電話ａのＣＰＵ２０３は、コンテンツサーバｂに携帯電話番号および所定の認証コードを送信する（ステップＳ５３１）。送信を受けて、コンテンツサーバｂのＣＰＵ３０３は、携帯電話番号および認証コードにより、ＰＣｃの正当性を認証すれば、コンテンツ再生画面８５３においてコンテンツのストリーミング送信を行う（ステップＳ５０７，Ｓ５０９）。
【０１００】
２−１２．コンテンツの選択
上記実施形態（図８の状態８０１，８０３）においては、コンテンツサーバｂは、ＰＣｃから携帯電話番号を受けると、ＰＣｃに認証コードを出力するように構成したが、図７Ａに示すように、同一の携帯電話番号（例えば、「０９０１１１１２２２２」）について複数のコンテンツＩＤ（例えば、「００１」と「００３」）が記録されることもあり得る。このような場合には、コンテンツサーバｂは、携帯電話番号を受けた後に、コンテンツを選択させるための画面を送信すればよい。また、図８の状態８０１において、コンテンツＩＤを入力するようにしてもよい。これにより、ユーザ管理データベース３０９２に複数のコンテンツＩＤが記録されている場合であっても、ユーザ所望のコンテンツを継続視聴させることができる。
【０１０１】
２−１３．その他
上記実施形態においては、図１に示す各機能を実現する為に、ＣＰＵを用いソフトウェアによってこれを実現している。しかし、その一部もしくは全てを、ロジック回路等のハードウェアによって実現してもよい。なお、プログラムの一部の処理をさらに、オペレーティングシステム（ＯＳ）にさせるようにしてもよい。
【図面の簡単な説明】
【０１０２】
【図１】コンテンツ視聴システムの機能ブロック図である。
【図２】携帯電話のハードウエア構成を示す図である。
【図３】コンテンツサーバのハードウエア構成を示す図である。
【図４】ＰＣのハードウエア構成を示す図である。
【図５】コンテンツ視聴システムの処理フローの例を示す図である。
【図５ａ】コンテンツ視聴システムの処理フローの例を示す図である。
【図６】携帯電話のディスプレイに表示される画面の例を示す図である。
【図７】ユーザ管理データベースおよびコンテンツ管理データベースの例を示す図である。
【図８】ＰＣのディスプレイに表示される画面の例を示す図である。
【図８ａ】ＰＣのディスプレイに表示される画面の例を示す図である。
【図９】携帯電話のディスプレイに表示される画面の例を示す図である。
【図１０】会員ユーザ管理データベースおよび電子メール画面の例を示す図である。
【符号の説明】
【０１０３】
ａ：携帯電話
ｂ：コンテンツサーバ
ｃ：ＰＣ
【図１】
2008271357.tif 000003
【図２】
2008271357.tif 000004
【図３】
2008271357.tif 000005
【図４】
2008271357.tif 000006
【図５】
2008271357.tif 000007
【図５ａ】
2008271357.tif 000008
【図６】
2008271357.tif 000009
【図７】
2008271357.tif 000010
【図８】
2008271357.tif 000011
【図８ａ】
2008271357.tif 000012
【図９】
2008271357.tif 000013
【図１０】
2008271357.tif 000014